(57)【特許請求の範囲】
【請求項１】
足場つなぎ部材が取付可能な外壁構造であって、
前記外壁構造は、外壁パネルを上下方向に並べてなるものとされ、
前記下側外壁パネルと前記上側外壁パネルとの間隙たる水平目地は、同下側外壁パネルの室内側上端面に形成された突部と、同上側外壁パネルの室外側下端面に形成された突部とを突き合わせて形成され、
前記下側外壁パネルの室内側突部に、前記足場つなぎ部材の基端部が挿通される基端部挿通孔が前記間隙に正対する位置に設けられ、
前記下側外壁パネルのパネルフレームに前記基端部と係合する基端部係合部が設けられてなる
ことを特徴とする外壁構造。
【請求項２】
基端部に雄ねじが形成され、基端部係合部に前記雄ねじと螺合するナットが設けられてなることを特徴とする請求項１記載の外壁構造。
【請求項３】
基端部挿通孔の内径が基端部の直径より大きくされ、前記基端部が前記基端部挿通孔との接触が回避されてなることを特徴とする請求項１記載の外壁構造。
【請求項４】
基端部挿通孔が補強部材により補強されてなることを特徴とする請求項１記載の外壁構造。
【請求項５】
基端部挿通孔の周縁部が補強部材により補強されてなることを特徴とする請求項１記載の外壁構造。
【請求項６】
足場つなぎ部材が取付可能な外壁構造の施工方法であって、
前記外壁構造は、外壁パネルを上下方向に並べてなるものとされ、
前記下側外壁パネルと前記上側外壁パネルとの間隙たる水平目地は、同下側外壁パネルの室内側上端面に形成された突部と、同上側外壁パネルの室外側下端面に形成された突部とを突き合わせて形成され、
前記下側外壁パネルの室内側突部は、前記足場つなぎ部材の基端部が挿通される基端部挿通孔を前記間隙に正対する位置に有し、
前記基端部挿通孔に足場つなぎ部材の基端部を挿通する手順と、
前記基端部を前記外壁パネルのパネルフレームに設けられた係合部に係合する手順と、
前記係合を解除して前記基端部を前記基端部挿通孔から引き抜く手順と、
前記基端部が引き抜かれた基端部挿通孔を補修する手順
とを含んでいることを特徴とする外壁構造の施工方法。
【請求項７】
基端部挿通孔の補修が、湿式シーリングと乾式シーリングとを組合すことによりなされることを特徴とする請求項６記載の外壁構造の施工方法。
【請求項８】
基端部挿通孔の補修が、充填材と湿式シーリングとを組合すことによりなされることを特徴とする請求項６記載の外壁構造の施工方法。
【請求項９】
基端部挿通孔の補修が、該基端部挿通孔を塞ぐように水切り材を貼設することによりなされることを特徴とする請求項６記載の外壁構造の施工方法。
【発明の詳細な説明】
【技術分野】
【０００１】
本発明は、外壁構造およびその施工方法に関する。さらに詳しくは、足場の取付けおよび取外しが容易な外壁構造およびその施工方法に関する。
【背景技術】
【０００２】
従来より、建物の外装工事等の際に用いる足場は、倒壊を防ぐために、所定本数の足場つなぎ部材により建物外壁につなぎ止めることがなされている。
【０００３】
図７に、足場つなぎ部材を取り付けた外壁構造の要部を断面図で示す。外壁構造１００においては、コンクリート板等の壁材１０１に例えば高ナット１０２を埋設し、その雌ねじ孔１０３の開口を露出させるように足場を解体するまでの間、その部分のタイル等の外装材１０４を未装着としている。この状態で、足場つなぎ部材１０５の雄ねじが形成された基端部１０６を高ナット１０２に螺合して足場つなぎ部材を建物外壁に取り付けている。
【０００４】
このため、足場解体の際には、解体作業と並行して前記外装材の未装着部分の補修を行う必要がある。しかしながら、そのような補修作業は、熟練を要する特殊な接着工法による必要があり、作業員の技量が未熟である場合には補修部分の見栄えが悪くなるなどの不具合が発生するおそれもある。
【発明の開示】
【発明が解決しようとする課題】
【０００５】
本発明はかかる従来技術の課題に鑑みなされたものであって、建物外壁における足場つなぎ部材の取付跡の補修を容易になし得る外壁構造およびその施工方法を提供することを目的としている。
【課題を解決するための手段】
【０００６】
本発明の外壁構造は、足場つなぎ部材が取付可能な外壁構造であって、前記外壁構造は、外壁パネルを上下方向に並べてなるものとされ、前記下側外壁パネルと前記上側外壁パネルとの間隙たる水平目地は、同下側外壁パネルの室内側上端面に形成された突部と、同上側外壁パネルの室外側下端面に形成された突部とを突き合わせて形成され、前記下側外壁パネルの室内側突部に、前記足場つなぎ部材の基端部が挿通される基端部挿通孔が前記間隙に正対する位置に設けられ、前記下側外壁パネルのパネルフレームに前記基端部と係合する基端部係合部が設けられてなることを特徴とする。
【０００７】
本発明の外壁構造においては、基端部に雄ねじが形成され、基端部係合部に前記雄ねじと螺合するナットが設けられてなるのが好ましい。
【０００８】
また、本発明の外壁構造においては、基端部挿通孔の内径が基端部の直径より大きくされ、前記基端部が前記基端部挿通孔との接触が回避されてなるのが好ましい。
【０００９】
さらに、本発明の外壁構造においては、基端部挿通孔が補強部材により補強されてなるのが好ましい。
【００１０】
さらに、本発明の外壁構造においては、基端部挿通孔の周縁部が補強部材により補強されてなるのが好ましい。
【００１１】
一方、本発明の外壁構造の施工方法は、足場つなぎ部材が取付可能な外壁構造の施工方法であって、前記外壁構造は、外壁パネルを上下方向に並べてなるものとされ、前記下側外壁パネルと前記上側外壁パネルとの間隙たる水平目地は、同下側外壁パネルの室内側上端面に形成された突部と、同上側外壁パネルの室外側下端面に形成された突部とを突き合わせて形成され、前記下側外壁パネルの室内側突部は、前記足場つなぎ部材の基端部が挿通される基端部挿通孔を前記間隙に正対する位置に有し、前記基端部挿通孔に足場つなぎ部材の基端部を挿通する手順と、前記基端部を前記外壁パネルのパネルフレームに設けられた係合部に係合する手順と、前記係合を解除して前記基端部を前記基端部挿通孔から引き抜く手順と、前記基端部が引き抜かれた基端部挿通孔を補修する手順とを含んでいることを特徴とする。
【００１２】
本発明の外壁構造の施工方法においては、基端部挿通孔の補修が、湿式シーリングと乾式シーリングとを組合すことによりなされてもよく、充填材と湿式シーリングとを組合すことによりなされてもよく、あるいは基端部挿通孔を塞ぐように水切り材を貼設することによりなされてもよい。
【発明の効果】
【００１３】
本発明は前記の如く構成されているので、足場撤去後におけるタイルなどの外装材の補修が不要となるという優れた効果が得られる。そのため、施工期間の短縮および施工コストの低減が図られるという優れた効果も得られる。
【発明を実施するための最良の形態】
【００１４】
以下、添付図面を参照しながら本発明を実施形態に基づいて説明するが、本発明はかかる実施形態のみに限定されるものではない。
【００１５】
実施形態１
図１に、本発明の実施形態１に係る外壁構造の要部を断面図により示す。図２に、同外壁構造を断面図により示す。
【００１６】
外壁構造Ｕは、図１および図２に示すように、全体は図示しない足場つなぎ部材の雄ねじ（例えばＭ１６ねじ）が形成された基端部Ｔを挿通するように、外壁パネル１のコンクリート板２の所定位置に設けられた基端部挿通孔１０と、外壁パネル１のパネルフレーム３に設けられた基端部係合部２０とを主要構成要素として備えてなるものとされる。
【００１７】
外壁パネル１は、壁材としてのコンクリート板２と、このコンクリート板２の室内側に配され、コンクリート板２と連結されたパネルフレーム３と、コンクリート板２の室外側表面に装着された外装材としてのタイル４とを有する。
【００１８】
また、外壁パネル１は、図２に示すように、パネルフレーム３に取り付けられたファスナー５により、鉄骨梁６に台座８等を介して支持されるものとされる。なお、図中、符号７は床下地コンクリートを示す。
【００１９】
次に、基端部挿通孔１０を説明する。
【００２０】
図２に示すように、基端部挿通孔１０は、上下方向に並ぶ２枚の外壁パネル１、１の一方、例えば下側の外壁パネル１Ａのコンクリート板２上端面室内側の突部２ａに設けられるものとされる。
【００２１】
すなわち、上下方向に並ぶ２枚の外壁パネル１、１の間隙である水平目地９は、水平目地９から雨水が浸入するのを防ぐために、室内側が高くなるように形成されている。つまり、下側外壁パネル１Ａのコンクリート板２の上端面室内側および上側外壁パネル１Ｂのコンクリート板２の下端面室外側にそれぞれ突部２ａ、２ｂが形成され、これら突部２ａ、２ｂが形成された端面を突き合わせて、水平目地９が形成されている。
【００２２】
しかして、基端部挿通孔１０は、足場つなぎ部材の取付位置において、水平目地９の室外側間隙９ａから差し込まれる前記基端部Ｔが挿通可能なように、前記突部２ａの前記間隙９ａと正対する位置に穿設されるものとされる。
【００２３】
また、基端部挿通孔１０は、図１に示すように、前記突部２ａにパイプ（補強部材）１１を埋設して形成されている。ここで、パイプ１１の内径は、基端部Ｔとコンクリート板２との接触を回避するためのクリアランスを確保するように、基端部Ｔの外径より例えば２ｍｍ以上大きくされる。これにより、足場つなぎ部材からの荷重を、パネルフレーム３を介して構造躯体である鉄骨梁６に全て負担させることが可能となり、基端部Ｔとの接触によるコンクリート板２の損傷を防止することができる。
【００２４】
さらに、基端部Ｔとコンクリート板２とが接触した場合に、コンクリート板２にひび割れが生ずるのを防止するために、基端部挿通孔１０の周囲に、ガラスネット１２をコンクリート板２の表面に埋め込むようにして設けるのもよい。
【００２５】
なお、図中、符号Ｇにより示される部材は、水平目地９を止水するために圧装されたガスケットである。
【００２６】
次に、基端部係合部２０を説明する。
【００２７】
図１に示すように、基端部係合部２０は、足場つなぎ部材の取付位置において、基端部挿通孔１０に挿通された基端部Ｔと係合し得る状態でパネルフレーム３に取り付けられる係合補助具２１と、係合補助具２１に取り付けられ、足場つなぎ部材の基端部Ｔが螺合するナット２２とを有する。
【００２８】
係合補助具２１は、所定長さに切断した例えば５０×５０×５（ｍｍ）の等辺山形鋼（アングル）からなり、その１つの外面２１ａをパネルフレーム３の鉛直面に例えば溶接により接合するとともに、１つの長手方向端面２１ｂをパネルフレーム３の水平面に溶接により接合して、パネルフレーム３から上方に突出するように取り付けられるものとされる。
【００２９】
また、係合補助具２１の基端部挿通孔１０と正対する位置には、足場つなぎ部材の基端部Ｔを通すための透孔２１ｃが設けられるものとされる。
【００３０】
ナット２２は、例えばＭ１６ナットからなり、その雌ねじ孔２２ａが前記透孔２１ｃと合致するよう係合補助具２１内面に取り付けられるものとされる。
【００３１】
しかして、足場つなぎ部材の基端部Ｔは、水平目地９の前記室外側間隙９ａを通して水平目地９の内部に差し込まれ、基端部挿通孔１０および係合補助具２１の透孔２１ｃを通してナット２２に螺合される。前述したとおり、基端部挿通孔１０は、水平目地９内部のコンクリート板２の端面突部２ａに設けられるものであるため、その補修跡を目立たなくすることが可能である。また、基端部挿通孔１０は、外装材であるタイル４が本来装着されない部分に設けられるものであるため、外装材の一部を未装着とする必要がなく、その補修の必要もない。
【００３２】
次に、足場つなぎ部材を取り外した後の基端部挿通孔１０の補修方法を説明する。
【００３３】
図３に、一補修例を示す。
【００３４】
図３の補修例は、湿式シーリングと乾式シーリングとを組み合わせたものであり、基端部装通孔１０の奥側（室内側）にシリコン３１などのシーリング剤を充填し（湿式シーリング）、その上側（室外側）からゴム製キャップ３２を嵌め込み（乾式シーリング）、これにより基端部挿通孔１０を止水している。ゴム製キャップ３２は、ねじ込み式であり、その取付に特別の技能を要しない。したがって、足場つなぎ部材の取付跡の補修が極めて容易となる。
【００３５】
図４に、他の補修例を示す。
【００３６】
図４の補修例は、基端部装通孔１０の奥側（室内側）にバッカー（充填材）３３を詰め込み、その上側（室外側）に湿式シーリング３４を施して、補修したものである。
【００３７】
図５に、さらに他の補修例を示す。
【００３８】
図５の補修例は、ゴム薄板材からなるフラッシング（水切り材）３５を基端部挿通孔１０を塞ぐように突部２ａの室外側表面に貼設して補修したものである。
【００３９】
このように、実施形態１の外壁構造Ｕは、足場つなぎ部材の取付位置において、水平目地９の室外側間隙９ａから差し込まれる足場つなぎ部材の基端部Ｔを挿通し得るように、下側外壁パネル１Ａ上端面室内側の突部２ａに基端部挿通孔１０を設けるとともに、基端部挿通孔１０に挿通された前記基端部Ｔと係合する係合部２０をパネルフレーム３に設けたものとされる。これにより、従来の外壁構造のように、外装材であるタイル４の一部を未装着とするとともに、その未装着部分のコンクリート板２に高ナットを埋設等して、足場つなぎ部材の取付箇所を確保する必要がない。したがって、足場の解体と並行して行われる取付跡の補修作業が極めて容易となるとともに、見栄えが悪くなる等の不具合の発生も抑えることが可能となる。
【００４０】
実施形態２
以下、本発明の実施形態２を説明する。図６に示すように、実施形態２の外壁構造Ｕ１は、実施形態１を改変してなるものであり、基端部係合部２０を改変したものである。すなわち、基端部係合部２０Ａにおいては、図６に示すように、足場つなぎ部材の取付位置において、Ｚ型クリップからなる係合補助具２１Ａがパネルフレーム３に取り付けられる。なお、その余の構成は実施形態１と同様であるため、その詳細説明は省略する。
【００４１】
ここで、係合補助具２１Ａは、基端部挿通孔１０に挿通される前記基端部Ｔと係合し得る状態でパネルフレーム３に取り付けられるものとされる。すなわち、パネルフレーム３の上方から一つの板部２１ｄが突出するように、これと平行な別の板部２１ｅの一方の平滑面２１ｆがパネルフレーム３の鉛直面に溶接により接合されて、パネルフレーム３に取り付けられる。
【００４２】
また、前記一つの板部２１ｄの基端部挿通孔１０と正対する位置には、前記基端部Ｔを通すための透孔２１ｃが設けられる。
【００４３】
このように、実施形態２の外壁構造Ｕ１においては、軽量なＺ型クリップから係合補助具２１Ａが形成されるので、外壁構造を軽量化することができる。
【産業上の利用可能性】
【００４４】
本発明は、建物外壁に足場を繋ぐ場合に適用できる。
【図面の簡単な説明】
【００４５】
【図１】本発明の実施形態１に係る外壁構造の要部断面図である。
【図２】同外壁構造の断面図である。
【図３】同外壁構造の一補修例を示す一部断面図である。
【図４】同外壁構造の他の補修例を示す要部断面図である。
【図５】同外壁構造のさらに他の補修例を示す一部断面図である。
【図６】本発明の実施形態２に係る外壁構造の要部断面図である。
【図７】従来の外壁構造の図１相当図である。
【符号の説明】
【００４６】
Ｕ      外壁構造
Ｔ      足場つなぎ部材基端部
１      外壁パネル
２      コンクリート板
２ａ    突部
３      パネルフレーム
９      水平目地
９ａ    水平目地室外側間隙
１０      基端部挿通孔
２０      基端部係合部
２１      係合補助具
２２      ナット
【図１】
0004731249.tif 000002
【図２】
0004731249.tif 000003
【図３】
0004731249.tif 000004
【図４】
0004731249.tif 000005
【図５】
0004731249.tif 000006
【図６】
0004731249.tif 000007
【図７】
0004731249.tif 000008